(57)【特許請求の範囲】
【請求項１】
平鋼を捻ったねじり平鋼を、ねじり平鋼が丁度入るパイプの中に、先だけ挿入して溶接し、更にねじり平鋼とパイプの接合部に、円錐形のカバーを取付けてこれをスパイラル杭とし、スパイラル杭を支柱の基礎として地面に捻じ込んで立て、次ぎにスパイラル杭のパイプに、支柱を挿入して取付けた事を特徴とする、支柱及び支柱の基礎。
【請求項２】
平鋼を捻ったねじり平鋼を、ねじり平鋼が丁度入るパイプの中に、先だけ挿入して溶接し、更にねじり平鋼とパイプの接合部に、円錐形のカバーを取付けてこれをスパイラル杭とし、スパイラル杭を支柱の基礎として地面に捻じ込んで立て、次ぎにパイプの中に丁度入るパイプＡの端に板を取付け、この板に更に角パイプを取付けて支柱Ａとし、スパイラル杭のパイプに、この支柱Ａを挿入して取付けた事を特徴とする、請求項１記載の支柱及び支柱の基礎。
【発明の詳細な説明】
【０００１】
【発明の属する技術分野】
本発明は、地面に支柱等を立てる時の、支柱と支柱の基礎に関するものでる。
【０００２】
【従来の技術】
従来、地面に支柱等を立てる時は、図６に示す如く、先ず地面に穴を掘り、穴の底に小石を敷いて突き固め、その上に枠を置いてコンクリートを流し込んで、支柱（６）をコンクリートの中に立てて基礎（１１）を作っている。そして基礎が固まってから、土を埋め戻している。
【０００３】
【発明が解決しようとする課題】
このように従来の方法は、基礎を作るのに、穴を掘る、小石を敷く、枠を作る、コンクリートを流し込む、固まってから枠を外す、土を埋め戻す、という幾つもの手間が掛かかり、その上コンクリートの固まるのを待ついう時間が掛かる作業になっている。そこで本発明は、基礎を作って支柱を立てる作業を、手間が掛からず、しかも短時間で出来るようにする。
【０００４】
【課題を解決するための手段】
そこで、平鋼を捻ったねじり平鋼を使うことにした。このねじり平鋼は、長い平鋼を同じピッチで真っ直ぐに捻った物であり、本出願人が、先にねじり平鋼を捻る方法と機械を発明し、既に特願平１０−２７２５１２により特許出願済みで、今ではこの機械により容易に製造出来る。
【０００５】
先ず、図１に示す如く、平鋼を捻ったねじり平鋼（１）を、ねじり平鋼が丁度入るパイプ（２）の中に、先だけ挿入して溶接する。次ぎにねじり平鋼とパイプの接合部に、円錐形のカバー（３）を取付けて溶接する。このようにして製作したスパイラル杭（４）を、支柱の基礎として使う事にした。
【０００６】
次ぎに、このスパイラル杭を使った施工を図２により説明すると、先ず地面の、支柱を立てる位置にスパイラル杭を立てる。そこでパイプの穴（５）に棒を差し込んで回すと、スパイラル杭は次第に地面の中に捻じ込まれて行く。そこで支柱（６）をスパイラル杭のパイプに差し込んで立てる。
【０００７】
なお捻じ込む時、パイプの部分が地面に着くと、それからはカバーが地面を押し開いて、パイプが地中に入って行く。このようにパイプがある程度地中に埋まっているので、立てた時非常に丈夫なものになる。
【０００８】
以上は支柱が丸い場合であるが、四角い支柱を立てる場合は、支柱の向きを決めなければならない。この場合は図４に示す如く、角パイプ（７）の下に板（８）を溶接し、板の下に、スパイラル杭のパイプの中に丁度入るパイプＡ（２ａ）を溶接した支柱Ａ（６ａ）を製作する。そして図５に示すように、スパイラル杭（４′）を地面に捻じ込んで立て、スパイラル杭のパイプ（２）に支柱Ａを差し込んで立てる。
【０００９】
このように支柱を立てた時の向きが、関係ない丸い支柱等の場合は、丸いパイプの支柱を、また立てた時の向きが関係する角型の支柱等の場合は、角パイプを取り付けた支柱を、各々スパイラル杭に差し込めばよい。このように本発明の支柱と支柱の基礎は、このような条件に対応出来るようになっている。
【００１０】
次ぎに本発明の支柱と、スパイラル杭を用いた支柱の基礎は、軽量物用としては、立て看板、農業用ハウス、フェンス等に、重量物用としては、街路灯、広告塔、建物等の外、色々な物の基礎として利用範囲が極めて広い。
【００１１】
更に本発明の支柱と支柱の基礎は、何れも工場で生産して、現場に持ち込む事が出来るので、大量生産が可能になり、安く出来るという大きな特徴がある。
その上スパイラル杭を捻じ込むだけで基礎が出来るので、従来のように、穴を掘る事も、コンクリートの枠を作る事も、コンクリートを流し込む事も、枠を外して埋め戻す事もないので、大幅な時間の短縮が図られる。その上コンクリートの乾くのを待つ時間も要らないので、時間の無駄がない。
また工事の際、自然の環境を破壊する事もなく、撤去はねじり平鋼を捻り戻すだけなので、極めて簡単にすみ、資材は再利用が出来て、廃棄物が出ない。
【００１２】
【発明の実施の形態】
本発明の第一実施例として、丸い支柱を立てる場合を説明する。先ず、図１に示す如く、平鋼を捻ったねじり平鋼（１）を、ねじり平鋼が丁度入るパイプ（２）の中に、先だけ挿入して溶接する。更にねじり平鋼とパイプの接合部に、円錐形のカバー（３）を取付けて溶接し、これをスパイラル杭（４）とする。
【００１３】
次ぎに図２により、このスパイラル杭（４）を使った施工を説明すると、先ずスパイラル杭を地面に立て、次ぎに棒をパイプの穴（５）に差し込んで回すと、スパイラル杭は次第に地面の中に捻じ込まれて行く。カバー（３）が地面に着いた後は、カバーが地面を押し開いて、パイプがある程度地中に深く入るので、丈夫に立てる事ができる。
【００１４】
ここで地面が固い場合は、パイプを叩くと捻じ込まれて行くし、大型のスパイラル杭の場合は、土木機械を使って、打ち込み又は捻じ込む事が出来る。
そこで最後に支柱（６）をパイプに差し込んで支柱を立て、押しボルト（９）で固定する。
【００１５】
次ぎに本発明の第二実施例として、四角い支柱を立てる場合を説明する。この場合は図３に示す如きスパイラル杭（４′）を使用するが、内容は第一実施例の図１（ロ）の場合と殆ど同じである。しかし支柱は、図４に示す如く、角パイプ（７）の下に板（８）を溶接し、板の下に更にパイプＡ（２ａ）を溶接した支柱Ａ（６ａ）を用意する。そしてこのパイプＡは、スパイラル杭のパイプ（２）の中に丁度入るようになっている。
そこで図５に示す如く、スパイラル杭（４′）を地面に捻じ込んで立て、スパイラル杭のパイプ（２）に、パイプＡを差し込んで、支柱Ａを立てる。
【００１６】
なおパイプ（２）にはパイプの円周を３等分した位置に２段に穴を開けてナットを溶接している。そこで押しボルト（９）で支柱の傾きを調整して真直ぐに立てることが出来るようにしている。
又支柱のパイプＡは、１箇所パイプを絞り込んで溝（１０）を作っているので、この部分に押しボルトを押し込んで、支柱が抜けないようにしてある。
【００１７】
更にこのような支柱を立てる場合は、支柱の向きを揃えると同時に、高さを揃えねばならない。この場合の支柱の高さは、スパイラル杭の高さによって決まり、スパイラル杭の高さは、杭を捻じ込む度合いによって決まる。従って複数の杭の高さを揃えるには、レベルに従って各杭を捻じ込んだり、捻じ戻したりして、簡単に高さを揃える事が出来るという特徴がある。
【００１８】
【発明の効果】
このように本発明の、支柱と支柱の基礎は、従来より遙かに工事の時間が短縮され、経費がかからない。また自然を破壊する事もなく工事が進められ、また撤去する場合は、簡単に元の状態に復元出来て、しかも資材は再利用出来て、産業廃棄物を出さない効果がある。
【図面の簡単な説明】
【図１】  本発明第一実施例の支柱の基礎、（イ）は平面図、（ロ）は正面図。
【図２】  本発明第一実施例の支柱の基礎に支柱を立てた正面図。
【図３】  本発明第二実施例の支柱の基礎、（イ）は平面図、（ロ）は正面図。
【図４】  本発明第二実施例の支柱Ａ、（イ）は平面図、（ロ）は正面図。
【図５】  本発明第二実施例の支柱の基礎に、支柱Ａを立てた正面図。
【図６】  従来の支柱と支柱の基礎。
【符号の説明】
１  ねじり平鋼        ２  パイプ            ２ａパイプＡ
３  カバー            ４、４′  スパイラル杭
５  穴                ６  支柱              ６ａ支柱Ａ
７  角パイプ          ８  板                ９  押しボルト
１０  溝              １１  基礎
【図１】
0004017922.tif 000002
【図２】
0004017922.tif 000003
【図３】
0004017922.tif 000004
【図４】
0004017922.tif 000005
【図５】
0004017922.tif 000006
【図６】
0004017922.tif 000007